(57)【要約】【課題】掻込みリールの組立て時間を短縮し、掻込みリールで掻込まれた穀桿の外皮や穀粒への外傷を軽減したコンバインの刈取前処理装置を提供する。【解決手段】掻込みリール（６１）の外周部に、複数の左右方向に延在するタイン支持杆（６５）を横設し、タイン支持杆（６５）に、左右方向に所定の間隔を隔てて複数のリールタイン（７３）を配列したタインプレート（７０）を装着することにより解決される。【選択図】図９
2016063793.tif 000002
【特許請求の範囲】
【請求項１】
掻込みオーガ（３３）の前方に、穀桿を掻込む掻込みリール（６１）を設けたコンバインの刈取前処理装置において、
前記掻込みリール（６１）の外周部に、複数の左右方向に延在するタイン支持杆（６５）を横設し、
前記タイン支持杆（６５）に、左右方向に所定の間隔を隔てて複数のリールタイン（７３）を配列したタインプレート（７０）を装着したことを特徴とするコンバインの刈取前処理装置。
【請求項２】
前記リールタイン（７３）に、側面視においてコイル状に成形したコイル部（７３Ｃ）と、該コイル部（７３Ｃ）の始端部から上側に延出し、前記タインプレート（７０）に吊設された吊下げ部（７３Ｂ）と、前記コイル部（７３Ｃ）の終端部から下側に延出し後下がり傾斜した掻込み部（７３Ｄ）を形成した請求項１記載のコンバインの刈取前処理装置。
【請求項３】
前記タインプレート（７０）は、前記リールタイン（７３）の前側に配置する前側プレート（７１）と、前記リールタイン（７３）の後側に配置する後側プレート（７２）と、前記前側プレート（７１）と後側プレート（７２）を連結する連結手段（７８）を備え、
前記連結手段（７８）に、前記吊下げ部（７３Ｂ）を吊設し、
前記後側プレート（７２）の上下延在部（７２Ｂ）に開穴した開口部（７２Ｃ）に、前記吊下げ部（７３Ｂ）の端部（７３Ａ）を係合し、
前記前側プレート（７１）の下部から前側に延出する第１延在部（７１Ｃ）に、前記コイル部（７３Ｃ）の上部を当接させた請求項２記載のコンバインの刈取前処理装置。
【請求項４】
前記後側プレート（７２）の下部から前側に延出する第２延在部（７２Ｆ）に、前記コイル部（７３Ｃ）の下部を当接させた請求項３記載のコンバインの刈取前処理装置。
【請求項５】
前記タインプレート（７０）の中央部よりも左側の左側部に配列されたリールタイン（７３）の配列間隔と、タインプレート（７０）の中央部よりも右側の右側部に配列されたリールタイン（７３）の配列間隔を、前記タインプレート（７０）の中央部に配列されたリールタイン（７３）の配列間隔よりも狭く設定した請求項１〜４のいずれか１項に記載のコンバインの刈取前処理装置。
【請求項６】
前記タインプレート（７０）の左側部に配列されたリールタイン（７３）の配列間隔を、前記タインプレート（７０）の右側部に配列されたリールタイン（７３）の配列間隔よりも狭く設定した請求項５記載のコンバインの刈取前処理装置。
【請求項７】
前記タインプレート（７０）の左側部に、正面視において前記リールタイン（７３）の掻込み部（７３Ｄ）を吊下げ部（７３Ｂ）よりも左側に形成した左リールタイン（７３Ｌ）を配列し、前記タインプレート（７０）の右側部に、正面視において前記リールタイン（７３）の掻込み部（７３Ｄ）を吊下げ部（７３Ｂ）よりも右側に形成した右リールタイン（７３Ｒ）を配列した請求項５又は６記載のコンバインの刈取前処理装置。
【発明の詳細な説明】
【技術分野】
【０００１】
本発明は、コンバインの刈取前処理装置に係るものである。
【背景技術】
【０００２】
従来の汎用コンバインの刈取前処理装置には、倒伏した穀桿等を掻込む複数のリールタインを備えた掻込み装置が備えられている。
【先行技術文献】
【特許文献】
【０００３】
【特許文献１】特開２０１４―１４３９７９号公報
【発明の概要】
【発明が解決しようとする課題】
【０００４】
しかし、特許文献１の構成では、掻込み装置の外周部に横架された複数のタイン支持杆に、左右方向に所定の間隔を隔てて複数のリールタインを取付けるので取付け作業に掛かる時間が長時間になる虞があった。また、穀桿の掻込み時に、リールタインの高い剛性により掻込まれた穀桿の外皮や穀粒に傷が付く虞があった。
【０００５】
そこで、本発明の主たる課題は、リールタインの取付け作業に掛かる時間を短時間にする構成を具現化し、次なる課題は、掻込まれた穀桿に過度の掻込み力を加えずに効率良く穀桿を掻込むことができる構成を具現がすることにある。
【課題を解決するための手段】
【０００６】
上記課題を解決した本発明は次記のとおりである。
請求項１に係る発明は、掻込みオーガ（３３）の前方に、穀桿を掻込む掻込みリール（６１）を設けたコンバインの刈取前処理装置において、
前記掻込みリール（６１）の外周部に、複数の左右方向に延在するタイン支持杆（６５）を横設し、前記タイン支持杆（６５）に、左右方向に所定の間隔を隔てて複数のリールタイン（７３）を配列したタインプレート（７０）を装着したことを特徴とするコンバインの刈取前処理装置である。
【０００７】
請求項２に係る発明は、前記リールタイン（７３）に、側面視においてコイル状に成形したコイル部（７３Ｃ）と、該コイル部（７３Ｃ）の始端部から上側に延出し、前記タインプレート（７０）に吊設された吊下げ部（７３Ｂ）と、前記コイル部（７３Ｃ）の終端部から下側に延出し後下がり傾斜した掻込み部（７３Ｄ）を形成した請求項１記載のコンバインの刈取前処理装置である。
【０００８】
請求項３に係る発明は、前記タインプレート（７０）は、前記リールタイン（７３）の前側に配置する前側プレート（７１）と、前記リールタイン（７３）の後側に配置する後側プレート（７２）と、前記前側プレート（７１）と後側プレート（７２）を連結する連結手段（７８）を備え、前記連結手段（７８）に、前記吊下げ部（７３Ｂ）を吊設し、
前記後側プレート（７２）の上下延在部（７２Ｂ）に開穴した開口部（７２Ｃ）に、前記吊下げ部（７３Ｂ）の端部（７３Ａ）を係合し、前記前側プレート（７１）の下部から前側に延出する第１延在部（７１Ｃ）に、前記コイル部（７３Ｃ）の上部を当接させた請求項２記載のコンバインの刈取前処理装置である。
【０００９】
請求項４に係る発明は、前記後側プレート（７２）の下部から前側に延出する第２延在部（７２Ｆ）に、前記コイル部（７３Ｃ）の下部を当接させた請求項３記載のコンバインの刈取前処理装置である。
【００１０】
請求項５に係る発明は、前記タインプレート（７０）の中央部よりも左側の左側部に配列されたリールタイン（７３）の配列間隔と、タインプレート（７０）の中央部よりも右側の右側部に配列されたリールタイン（７３）の配列間隔を、前記タインプレート（７０）の中央部に配列されたリールタイン（７３）の配列間隔よりも狭く設定した請求項１〜４のいずれか１項に記載のコンバインの刈取前処理装置である。
【００１１】
請求項６に係る発明は、前記タインプレート（７０）の左側部に配列されたリールタイン（７３）の配列間隔を、前記タインプレート（７０）の右側部に配列されたリールタイン（７３）の配列間隔よりも狭く設定した請求項５記載のコンバインの刈取前処理装置である。
【００１２】
請求項７に係る発明は、前記タインプレート（７０）の左側部に、正面視において前記リールタイン（７３）の掻込み部（７３Ｄ）を吊下げ部（７３Ｂ）よりも左側に形成した左リールタイン（７３Ｌ）を配列し、前記タインプレート（７０）の右側部に、正面視において前記リールタイン（７３）の掻込み部（７３Ｄ）を吊下げ部（７３Ｂ）よりも右側に形成した右リールタイン（７３Ｒ）を配列した請求項５又は６記載のコンバインの刈取前処理装置である。
【発明の効果】
【００１３】
請求項１記載の発明によれば、掻込みリール（６１）の外周部に、複数の左右方向に延在するタイン支持杆（６５）を横設し、タイン支持杆（６５）に、左右方向に所定の間隔を隔てて複数のリールタイン（７３）を配列したタインプレート（７０）を装着しているので、タイン支持杆（６５）にリールタイン（７３）を取付ける組立て作業時間の短縮を図ることができる。また、複数のリールタイン（７３）を配列させたタインプレート（７０）を半組立て部品として保管することができることから管理負担も軽減することもできる。
【００１４】
請求項２記載の発明によれば、請求項１記載の発明の効果に加えて、リールタイン（７３）に、側面視においてコイル状に成形したコイル部（７３Ｃ）と、コイル部（７３Ｃ）の始端部から上側に延出し、タインプレート（７０）に吊設された吊下げ部（７３Ｂ）と、コイル部（７３Ｃ）の終端部から下側に延出し後下がり傾斜した掻込み部（７３Ｄ）を形成しているので、掻込み時に、穀桿に掻込み部（７３Ｄ）から過度の掻込み力が加わるのを防止して穀桿の外皮や穀粒に傷を付けるのを防止することができる。また、掻込み部（７３Ｄ）に土壌面から過度の外力が加わった場合には、コイル部（７３Ｃ）が変形して掻込み部（７３Ｄ）の変形を防止することもできる。
【００１５】
請求項３記載の発明によれば、請求項２記載の発明の効果に加えて、タインプレート（７０）は、リールタイン（７３）の前側に配置する前側プレート（７１）と、リールタイン（７３）の後側に配置する後側プレート（７２）と、前側プレート（７１）と後側プレート（７２）を連結する連結手段（７８）を備え、連結手段（７８）に、吊下げ部（７３Ｂ）を吊設し、後側プレート（７２）の上下延在部（７２Ｂ）に開穴した開口部（７２Ｃ）に、吊下げ部（７３Ｂ）の端部（７３Ａ）を係合し、前側プレート（７１）の下部から前側に延出する第１延在部（７１Ｃ）に、コイル部（７３Ｃ）の上部を当接させているので、タインプレート（７０）からリールタイン（７３）の脱落を防止し、リールタイン（７３）の垂下姿勢を維持することができる。
【００１６】
請求項４記載の発明によれば、請求項３記載の発明の効果に加えて、後側プレート（７２）の下部から前側に延出する第２延在部（７２Ｆ）に、コイル部（７３Ｃ）の下部を当接させているので、リールタイン（７３）の垂下姿勢をさらに維持することができ、コイル部（７３Ｃ）への土壌の付着を防止して、掻込み部（７３Ｄ）に土壌面から過度の外力が加わった場合におけるコイル部（７３Ｃ）の変形機能を維持することができる。
【００１７】
請求項５記載の発明によれば、請求項１〜４のいずれか１項に記載の発明の効果に加えて、タインプレート（７０）の中央部よりも左側の左側部に配列されたリールタイン（７３）の配列間隔と、タインプレート（７０）の中央部よりも右側の右側部に配列されたリールタイン（７３）の配列間隔を、タインプレート（７０）の中央部に配列されたリールタイン（７３）の配列間隔よりも狭く設定しているので、掻込みリール（６１）の左右両側部で絡みあった穀桿を効率良く掻込みリール（６１）の内側に掻込むことができる。
【００１８】
請求項６記載の発明によれば、請求項５記載の発明の効果に加えて、タインプレート（７０）の左側部に配列されたリールタイン（７３）の配列間隔を、タインプレート（７０）の右側部に配列されたリールタイン（７３）の配列間隔よりも狭く設定しているので、未掻込み側である掻込みリール（６１）の左側部で絡みあった多くの穀桿を効率良く掻込みリール（６１）の内側に掻込むことができる。
【００１９】
請求項７記載の発明によれば、請求項５又は６記載の発明の効果に加えて、タインプレート（７０）の左側部に、正面視においてリールタイン（７３）の掻込み部（７３Ｄ）を吊下げ部（７３Ｂ）よりも左側に形成した左リールタイン（７３Ｌ）を配列し、タインプレート（７０）の右側部に、正面視においてリールタイン（７３）の掻込み部（７３Ｄ）を吊下げ部（７３Ｂ）よりも右側に形成した右リールタイン（７３Ｒ）を配列しているので、掻込みリール（６１）の左側壁と左リールタイン（７３Ｌ）の隙間と、掻込みリール（６１）の右側壁と右リールタイン（７３Ｒ）の隙間を狭く設定でき、掻込みリール（６１）の左右両側部で絡みあった穀桿の引き千切りを防止しながら効率良く掻込みリール（６１）の内側に掻込むことができる。
【図面の簡単な説明】
【００２０】
【図１】コンバインの正面図である。
【図２】コンバインの左側面図である。
【図３】コンバインの背面図である。
【図４】刈取前処理装置の要部左側面図である。
【図５】刈取前処理装置の要部平面図である。
【図６】掻込みオーガの正面図である。
【図７】タイン支持杆にタインプレートを装着した正面図である。
【図８】図７の左側部の拡大正面図である。
【図９】タイン支持杆にタインプレートを装着した右側面図である。
【図１０】タインプレートの前側プレートの平面図である。
【図１１】タイン支持杆に他のタインプレートを装着した右側面図である。
【図１２】タイン支持杆にさらに他のタインプレートを装着した正面図である。
【図１３】コンバインの伝動線図である。
【発明を実施するための形態】
【００２１】
以下、本発明の実施形態について添付図面を参照しつつ詳説する。なお、理解を容易にするために、操縦者から見て、前方を前側、後方を後側、右手側を右側、左手側を左側として便宜的に方向を示して説明しているが、これらにより構成が限定されるものではない。
【００２２】
図１〜３に示すように、汎用コンバイン１の機体フレーム２の下側には、土壌面を走行するための左右一対のクローラからなる走行装置３が設けられ、機体フレーム２の上側には、脱穀・選別を行なう脱穀装置４が設けられ、脱穀装置４の前側には、圃場の穀桿を収穫する刈取前処理装置５が設けられている。脱穀装置４で脱穀・選別された穀粒は脱穀装置４の右側に設けられたグレンタンク６に貯留され、貯留された穀粒は揚穀筒と横送り筒からなる排出筒７によって外部へ排出される。また、グレンタンク６の前側には操縦者が搭乗する操縦部８が設けられている。
【００２３】
＜刈取前処理装置＞
図４〜６等に示すように、刈取前処理装置５は、フィーダハウス２０と、オーガ装置３０と、刈刃装置５０と、掻込み装置６０、及び縦刈刃装置８０等から構成されている。
【００２４】
（フィーダハウス）
フィーダハウス２０は、オーガ装置３０によって搬送された稲、麦、大豆、そば等の穀桿を脱穀装置４に搬送する装置であり、オーガ装置３０と脱穀装置４の間に設けられている。
【００２５】
フィーダハウス２０の枠体における未刈側の前部には、オーガ装置３０と掻込み装置６０にエンジンＥの回転を伝動するスプロケット２７Ａ，２７Ｂが装着された軸２７と、刈刃装置５０と縦刈刃装置８０にエンジンＥの回転を伝動するスプロケット２８Ａと変換機構２８Ｂが装着された軸２８が、上下方向に所定の間隔を隔てて軸支されている。
また、フィーダハウス２０の枠体の後部には、フィーダハウス２０等にエンジンＥの回転を伝動するプーリ２６Ａ，２６Ｂおよびスプロケット２６Ｃ，２６Ｄ，２６Ｅが装着された軸２６が、上下方向に所定の間隔を隔てて軸支されている。
【００２６】
スプロケット２６Ｅ，２７Ａ，２８Ａには、チェン１２Ｃが巻回されており、チェン１２Ｃのテンションは、スプロケット２６Ｅ，２７Ａの間に設けられたテンションアーム（図示省略）によって所定の範囲に調整されている。
【００２７】
（オーガ装置）
オーガ装置３０は、掻込み装置６０で掻込まれた穀桿を送込口３２の前方に寄せ集めてフィーダハウス２０に引き継ぐ装置であり、フィーダハウス２０の前方に配置され、汎用コンバイン１の機体の全幅とほぼ同一幅に形成されている。
【００２８】
オーガ装置３０は、オーガフレーム３１と、掻込まれた穀桿を送込口３２の前方に寄せ集める掻込みオーガ３３等から構成されている。オーガフレーム３１は、左右一対の側板と、両側板の後面を連結する後板と、両側板の一部下面と後板の下面を連結する底板によってバケット状に形成されている。また、両側板の前端部には、圃場の穀桿を分草する分草体３９，３９が設けられ、後板の左側部には、穀桿をフィーダハウス２０に搬送する送込口３２が形成され、底板の前端部には、穀桿の株元を切断する刈刃装置５０が設けられている。
【００２９】
両側板の上面は、側面視において前側から後側に後上がり傾斜して形成され、下面は、前側から中間までは略水平に形成され、中間から後側は下側に向かって円弧状に突出して形成されている。後板は、正面視において略長方形に形成され、底板は、側面視において側板の下面に沿って前側から中間までは略水平に形成され、中間から後側に下側に向かって円弧状に突出して形成されている。なお、このオーガフレーム３１は、鋼材からなる両側板と後板とを溶接によって一体的に形成したり、一枚の鋼材を切断・折曲げて一体形成することもできる。さらに、側板等の形状は、上述の形状に限定されることはなく用途に合わせ任意の形状に形成することができる。
【００３０】
掻込みオーガ３３は、オーガフレーム３１の両側板に回転自在に横架された軸３４に装着されている。掻込みオーガ３３の外周には、掻込み装置６０で掻込まれた穀桿を送込口３２の前方に寄せ集める向きに傾斜した搬送螺旋３５が固着され、掻込みオーガ３３における送込口３２に対向する部位には、穀桿の滞留を防止するために複数の掻込みフィンガ３６が出没自在に形成備えられている。
【００３１】
搬送螺旋３５の変形を防止するために、搬送螺旋３５の搬送上流側面（右側面）には、所定の間隔をもって補強用のリブ３５Ａが設けられている。また、隣接するリブ３５Ａ，３５Ａの間隔Ｗを搬送下流側に向かうに従って小さくするのが好適であり、送込口３２に近接して設けられた搬送螺旋３５、リブ３５Ａの剛性を高めるために２枚の鋼材を重ね合わせて搬送螺旋３５、リブ３５Ａを形成するのが好適である。
【００３２】
掻込みオーガ３３を装着した軸３４は、オーガフレーム３１の左側板よりも左側に延在し、軸３４の延在部には、所定の間隔を持ってスプロケット３４Ａ，３４Ｂが取付けられている。また、フィーダハウス２０の前部に設けられたスプロケット２７Ｂとスプロケット３４Ａには、伝動用のチェン１２Ｄが巻回されている。
【００３３】
（刈刃装置）
刈刃装置５０は、掻込み装置６０で掻込まれた穀桿、縦刈刃装置８０で上部を切断された油菜、菜の花等の丈の高い穀桿等の株元を切断する装置であり、オーガフレーム３１の底板の前端部に設けられ、側面視において前側から後側に緩やかに後上がり傾斜している。
【００３４】
刈刃装置５０は、穀桿等の株元を保持する複数の刃幅が狭く、刃長が長いフィンガ状の下刃５２Ａからなる固定刃５２と、固定刃５２の後部に連結されたアングル鋼材等の横刈刃プレート５３と、固定刃５２と横刈刃プレート５３の間に形成された溝を左右方向に摺動する複数の刃幅が広く、刃長が短い三角形状の上刃５１Ａからなる可動刃５１から構成されている。平面視において、下刃５２Ａの刃先は、上刃５１Ａの先端部よりも前方に延出して、下刃５２Ａの先端部は約３０度の角度に形成されている。一方、上刃５１Ａの刃先は、約６０度に形成されており、穀桿等の株元を保持する上刃５１Ａの刃先と下刃５２Ａの延出部とは約３０度の挟み角度を備え、通常のバリカン刃に対して挟み角が小さく形成されている。
【００３５】
揺動腕５４の先端部は、可動刃５１の基部に連結され、揺動腕５４の後端部は、側面視において、揺動腕５４が軸２９に対して略直交な姿勢となるように軸２９の先端部に連結されている。
【００３６】
エンジンＥの回転は、スプロケット２８Ａ、変換機構２８Ｂ等を介して軸２９に伝動される。変換機構２８Ｂの入力側に伝動されたエンジンＥの回転は、変換機構２８Ｂの基部に一定の角度を持って設けられた偏角軸部により往復回動に変換され、出力側に接続された軸２９を軸２９の軸芯周りで往復揺動させる。軸２９の往復揺動に伴って、揺動腕５４の先端部は、揺動腕５４の後端部を中心として左右方向に往復揺動し、可動刃５１を固定刃５２と横刈刃プレート５３の間に形成された溝を左右方向に摺動させる。なお、刈刃装置５０は、上述した実施形態に限定されることはなく、可動刃５１の移動によって発生する振動等を低減するために左側に位置する可動刃と右側に位置する可動刃を分離して形成し、左側の可動刃と右側の可動刃を互いに反対方向に往復摺動させる構成とすることもできる。
【００３７】
（掻込み装置）
掻込み装置６０は、倒伏した穀桿、大豆やそば等の丈の低い穀桿、油菜や菜の花等の丈の高い穀桿をオーガ装置３０に掻込む装置であり、オーガ装置３０の全幅とほぼ同一幅に形成され、オーガ装置３０の上側に設けられている。
【００３８】
掻込み装置６０は、掻込みリール６１と、掻込みリール６１を上下に移動させるアーム６３等から構成されている。
アーム６３の基部は、オーガフレーム３１の両側板に架設された軸６８に回転自在に装着され、中間部は、アーム６３を上下方向に昇降させる油圧シリンダ等の昇降装置の先端部に連結され、先端部には、掻込みリール６１を回転自在に支持する軸６２が横架されている。
軸６８の右側端部には、プーリ６８Ａが、左側端部には、スプロケット６８Ｂが取付けられ、掻込みリール６１を装着する軸６２の右側端部には、プーリ６２Ａが取付けられており、オーガ装置３０の軸３４に取付けられたスプロケット３４Ｂとスプロケット６８Ｂには、チェン１２Ｅが巻回され、プーリ６２Ａ，６８Ａには、ベルト１１Ｃが巻回されている。
【００３９】
掻込みリール６１は、側面視において略五角形状に形成されており、五箇所の各隅部には、タインプレート７０を取付けるタイン支持杆６５が設けられている。また、掻込みリール６１の両側部には、掻込みリール６１の内側と外側に倒伏した穀桿等を分草するために左側壁７５と、右側壁７６が設けられている。
【００４０】
図７に示すように、タイン支持杆６５の前側には、複数のリールタイン７３が吊設されたタインプレート７０がボルト等の締結手段７７によって連結されている。タインプレート７０は、掻込みリール６１の内側に倒伏した穀桿等を掻込むリールタイン７３と、リールタイン７３を前後方向から挟んで支持する前側プレート７１と後側プレート７２と、前側プレート７１と後側プレート７２を連結し、且つ、リールタイン７３の吊下げ部７３Ｂが吊設されるボルト等の連結手段７８等から形成されている。これによりタインプレート７０を予め複数のリールタイン７３を組み付けた状態の部品として準備することができ、掻込みリール６１の組立て作業時間を短縮することができる。
【００４１】
また、上述したように複数のリールタイン７３を組み付けた状態のタインプレート７０をタイン支持杆６５に装着することもできるが、タインプレート７０をタイン支持杆６５に装着してから、複数のリールタイン７３を組み付ける場合には、タイン支持杆６５の前側にタインプレート７０をより簡単に連結するために、タインプレート７０の後側プレート７２に形成された最も左右両側の開口部７２Ｄに予め連結手段７７を溶接するのが好適である。これにより、タイン支持杆６５に形成された開口部６５Ａに予め溶接された連結手段７７を挿通してタイン支持杆６５にタインプレート７０を支持した状態で連結作業を行なうことができる。
【００４２】
掻込みリール６１の左側壁７５と右側側壁の近傍における掻込み効率を高めるために、タインプレート７０の左側部と右側部に吊設されたリールタイン７３の左右方向の間隔を、タインプレート７０の中央部に吊設されたリールタイン７３の左右方向の間隔よりも狭く設定している。すなわち、本実施例では、タインプレート７０の左側部に２本のリールタイン７３を吊設し、右側部に４本のリールタイン７３を吊設し、中央部に９本のリールタイン７３を吊設し、左側部と右側部に吊設されたリールタイン７３の間隔を、中央部に吊設されたリールタイン７３の間隔の約６０％の間隔に設定している。
また、掻込みリール６１における掻込み効率を均等に維持するために、掻込みリール６１の円周方向において隣接するタイン支持杆６５に連結されたタインプレート７０には、タインプレート７０の左側部に４本のリールタイン７３を吊設し、右側部に２本のリールタイン７３を吊設し、中央部に９本のリールタイン７３を吊設している。
【００４３】
なお、未刈取側である掻込みリール６１の左側壁７５の近傍における掻込み効率を高めて油菜や菜の花等の丈の高い穀桿を効率良く掻込むためには、タインプレート７０の左側部に吊設されたリールタイン７３の左右方向の間隔を、タインプレート７０の右側部に吊設されたリールタイン７３の左右方向の間隔よりも狭く設定し、タインプレート７０の左側部に吊設されたリールタイン７３の本数を、タインプレート７０の右側部に吊設されたリールタイン７３の本数よりも多くするのが好適である。
【００４４】
図８，９に示すように、鋼棒からなるリールタイン７３は、前後方向に延在して後側プレート７２の開口部７２Ｃに係合する端部７３Ａと、端部７３Ａの前部から上側に向かって延在した後に略１８０度湾曲し下側に向かって延在して連結手段７８に吊設される吊下げ部７３Ｂと、吊下げ部７３Ｂの下部からコイル状に形成され前側プレート７１の下延在部（請求項における「第１延在部」）７１Ｃに当接するコイル部７３Ｃと、コイル部７３Ｃの終端部から下側に延在した後に後下がり傾斜に形成された掻込み部７３Ｄから形成されている。なお、図８に示すように、正面視においてリールタイン７３のコイル部７３Ｃ及び掻込み部７３Ｄは、吊下げ部７３Ｂの左側に設けられているが、吊下げ部７３Ｂの右側に設けることもでき、便宜的に、正面視においてリールタイン７３のコイル部７３Ｃ及び掻込み部７３Ｄを吊下げ部７３Ｂの左側に設けているリールタイン７３を左リールタイン７３Ｌで示し、リールタイン７３のコイル部７３Ｃ及び掻込み部７３Ｄを吊下げ部７３Ｂの右側に設けているリールタイン７３を右リールタイン７３Ｒで示す。
後側プレート７２の開口部７２Ｃにリールタイン７３の端部７３Ａを係合し、前側プレート７１の下延在部７１Ｃにリールタイン７３のコイル部７３Ｃを端部７３Ａを当接しているので、リールタイン７３の連結手段７８からの脱落を防止し、連結手段７８に吊設されリールタイン７３の姿勢を維持することができる。また、コイル部７３の変形により過度の引起し力が倒伏した穀桿等に加わることを防止して、穀桿等の表面に傷を付けることを抑制することができる。
【００４５】
図８〜１０に示すように、前側プレート７１は、締結手段７７を挿通する開口部７１Ｄが形成され前後方向に延在する上延在部７１Ａと、締結手段７８を挿通する開口部７１Ｅが形成され上延在部７１Ａの前部から下側に向かって延在する上下延在部７１Ｂと、上下延在部７１Ｂの下部から前側に向かって延在する下延在部７１Ｃから形成されている。なお、リールタイン７３の吊設姿勢を維持するために、下延在部７１Ｃの下面は、リールタイン７３のコイル部７３Ｃの上部に当接し、リールタイン７３の連結手段７８からの脱落を防止するために、下延在部７１Ｃの前端部は、側面視においてリールタイン７３のコイル部７３Ｃの中心よりも前側に延出している。
【００４６】
図８，９に示すように、後側プレート７２は、締結手段７７を挿通する開口部７２Ｄが形成され前後方向に延在する上延在部７２Ａと、リールタイン７３の端部７３Ａが挿通し係合する開口部７２Ｃと締結手段７８を挿通する開口部７２Ｅが形成され上延在部７２Ａの前部から下側に向かって延在する上下延在部７２Ｂから形成されている。なお、リールタイン７３の過度の変形を防止するために、上下延在部７２Ｂの下端部は、側面視において前側プレート７１の下延在部７１Ｃよりも下側であって、リールタイン７３のコイル部７３Ｃの中心よりも上側にまで延出している。
【００４７】
また、図１１に示すように、リールタイン７３のコイル部７３Ｃに倒伏した穀桿等の絡まりを防止するために、後側プレート７２の上下延在部７２Ｂを、側面視においてリールタイン７３のコイル部７３Ｃの下部まで延在させ、この上下延在部７２Ｂの下部から前側に向かって延在する下延在部（請求項における「第２延在部」）７２Ｆを形成することもできる。また、正面視においてリールタイン７３の掻込み部７３Ｄに対向する上下延在部７２Ｂの下部と下延在部７２Ｆの後部には、リールタイン７３の掻込み部７３Ｄを挿入して、リールタイン７３のコイル部７３Ｃの終端部を中心として掻込み部７３Ｄが前後に揺動できる前後方向に長径を有する長穴形状の開口部７２Ｇが形成されている。なお、リールタイン７３の吊設姿勢をより好適に維持するために、下延在部７２Ｆの上面は、リールタイン７３のコイル部７３Ｃの下部に当接し、倒伏した穀桿等の絡まりを防止するために、下延在部７２Ｆの前端部は、側面視においてリールタイン７３のコイル部７３Ｃの中心よりも前側に延出している。
【００４８】
図１２に示すように、リールタイン７３の左側壁７５と右側壁７６の近傍における掻込み効率を高めるために、タインプレート７０の左側部に、リールタイン７３のコイル部７３Ｃを吊下げ部７３Ｂの左側に設けている左リールタイン７３Ｌを吊設し、タインプレート７０の右側部には、リールタイン７３のコイル部７３Ｃを吊下げ部７３Ｂの右側に設けている右リールタイン７３Ｒを吊設するのが好適である。なお、タインプレート７０の中央部には、左リールタイン７３Ｌ又は右リールタイン７３Ｒを吊設することができる。これにより、正面視において掻込みリール６１の左側壁７５とタインプレート７０の左側端部に吊設された左リールタイン７３Ｌの掻込み部７３Ｄの左右方向の間隔と、掻込みリール６１の右側壁７６とタインプレート７０の右側端部に吊設された右リールタイン７３Ｒの掻込み部７３Ｄの左右方向の間隔を狭くして、掻込みリール６１の左側壁７５と右側壁７６に絡んだ油菜や菜の花等の丈の高い穀桿等を、左リールタイン７３Ｌと右リールタイン７３Ｒにより掻込みリール６１の内側に掻込むことができる。
【００４９】
（縦刈刃装置）
縦刈刃装置８０は、オーガフレーム３１の左側板の上方で絡み合った穀桿を切断する装置であり、縦刈刃装置８０の上端部は、掻込みリール６１の軸６２よりも前方に設けられ、下端部は、分草体３９よりも後方に設けられている。また、縦刈刃装置８０は上端部から下端部に向かって緩やかに後下がり傾斜して設けられている。
【００５０】
縦刈刃装置８０は、油菜や菜の花等の丈の高い穀桿を保持する複数の刃幅が狭く、刃長が長いフィンガ状の左刃８２Ａからなる固定刃８２と、固定刃８２の後部に連結されたアングル鋼材等の縦刈刃プレート８３と、固定刃８２と縦刈刃プレート８３の間に形成されたスリットを上下方向に摺動する複数の刃幅が広く、刃長が短い三角形状の右刃８１Ａからなる可動刃８１から構成されている。側面視において、左刃８２Ａの刃先は、右刃８１Ａの先端部よりも前方に延出して、左刃８２Ａの先端は約３０度の角度に形成されている。一方、右刃８１Ａの刃先は、約６０度に形成されており、穀桿等を保持する右刃８１Ａの刃先と左刃８２Ａの延出部とは約３０度の挟み角度を備え、通常のバリカン刃に対して挟み角が小さく形成されている。なお、図４に示すように、左刃８２Ａの下方への穀桿の詰まりを防止するために、固定刃８２の最下端に位置する左刃８２Ａをオーガフレーム３１の左側の側板の上面に平行に、且つ、同一高さに配置するのが好適である。
【００５１】
揺動腕８４の先端部は、可動刃８１の基部に連結され、揺動腕８４の後端部は、側面視において、揺動腕８４が軸２９に対して略直交な姿勢となるように軸２９の先端部に連結されている。  
【００５２】
エンジンＥの回転は、スプロケット２８Ａ、変換機構２８Ｂ等を介して軸２９に伝動される。変換機構２８Ｂの入力側に伝動されたエンジンＥの回転は、変換機構２８Ｂの基部に一定の角度を持って設けられた偏角軸部により往復回動に変換され、出力側に接続された軸２９を軸２９の軸芯周りで往復揺動させる。軸２９の往復揺動に伴って、揺動腕８４の先端部は、揺動腕８４の後端部を中心として上下方向に往復揺動し、可動刃８１を固定刃８２と縦刈刃プレート８３の間に形成された溝を上下方向に摺動させる。
【００５３】
縦刈刃装置８０の縦刈刃プレート８３の上端部は、オーガフレーム３１の左側板の左面から前方上側に向かって立設した支持フレーム８５の先端部にボルト等の締結手段によって取付けられ、下端部は、オーガフレーム３１の左側板の左面の前側部にボルト等の締結手段によって取付けられている。また、支持フレーム８５の基部は、オーガフレーム３１の左側板の左面に支持された支持部８６の溝に嵌合し、刈取り穀桿と未刈取り穀桿の絡まりを防止するために、縦刈刃プレート８３と支持フレーム８５の間には、金属、プラスチック製のカバー８７が設けられている。
【００５４】
（ガイド）
図４，５に示すように、オーガフレーム３１と縦刈刃装置８０の間に形成される隙間への穀桿の詰まりを防止し、揺動腕５４，８４の前側への穀桿の堆積を防止するために、左側の分草体３９の左面には、分草体３９の前部から後上がり傾斜する第１ガイド４０と、分草体３９の中間部から後方に水平に延在する第２ガイド４１が設けられている。
【００５５】
縦刈刃装置８０の固定刃８２の下方への穀桿の詰まりを防止するために、側面視において、パイプ鋼材で形成された第１ガイド４０の前端部は分草体３９の左側面の前部に固定され、中間部は分草体３９の上面３９Ａと交差して後上がり傾斜し、後端部は固定刃８２の最下端の左刃８２Ａの先端部に嵌挿している。また、縦刈刃装置８０への未刈穀桿の絡まりを防止するために、平面視において、第１ガイド４０の前端部から後端部に向かって緩やかに左側に傾斜して延在している。
【００５６】
縦刈刃装置８０で切断されるまで、分草体３９によって未刈穀桿と刈取り穀桿を効率良く分草するために、側面視において、平鋼材で形成された第２ガイド４１の前端部は分草体３９の左側面の中間部に固定され、中間部は縦刈刃装置８０の下方を超えて後方に向かい延在し、後端部は刈刃装置５０の左側上方に設けられた刈刃ガード４２の近傍まで延在している。また、平面視において、第２ガイド４１の前端部から後端部に向かって第１ガイド４０よりも左側に傾斜して延在している。
【００５７】
＜動力伝達＞
図１３に示すように、エンジンＥから出力された動力は、走行装置３を駆動する油圧式無段変速装置１０に入力され、この油圧式無段変速装置１０から出力された動力の一部が、伝動用のベルト１１Ａ，１１Ｂを介してプーリ２６Ａ，２６Ｂに伝動される。このプーリ２６Ａ，２６Ｂは、フィーダハウス２０の後部に配置された軸２６に装着されている。プーリ２６Ａ，２６Ｂに伝動された回転は、軸２６を介してスプロケット２６Ｃ，２６Ｄ，２６Ｅに伝動される。なお、軸２６は機体フレーム２の前側の部位に左右方向に横架されており、刈取前処理装置５は軸２６を中心として昇降回動する。
スプロケット２６Ｃ，２６Ｄと、フィーダハウス２０の前部に回転自在に架設された軸２２に取付けられた左右一対のスプロケット（図示省略）には、多数のラグを掛け渡した左右の穀稈搬送用のチェン１２Ａ，１２Ｂが巻回されており、スプロケット２６Ｃ，２６Ｄに動力が伝動されることで、チェン１２Ａ，１２Ｂが駆動する。これによって、フィーダハウス２０の前方の送込口３２に搬送された穀桿を後方に設けられた脱穀装置４に搬送することができる。
【００５８】
スプロケット２６Ｅに伝動された回転は、チェン１２Ｃを介してスプロケット２７Ａ，２８Ａに伝動される。スプロケット２７Ａ，２８Ａは、それぞれフィーダハウス２０の左側に回転自在に軸支された軸２７，２８に取付けられている。
スプロケット２７Ａに伝動された回転は、軸２７を介してスプロケット２７Ｂに伝動される。スプロケット２７Ｂに伝動された回転は、チェン１２Ｄを介してスプロケット３４Ａに伝動される。スプロケット３４Ａは、オーガフレーム３１の左右の両側板に横架され掻込みオーガ３３を装着した軸３４に取付けられている。これによって、エンジンＥの回転が掻込みオーガ３３に伝動され、掻込み装置６０等によってオーガ装置３０に掻込まれた穀桿をフィーダハウス２０の前方の送込口３２に移送することができる。
【００５９】
スプロケット３４Ａに伝動された回転は、軸３４を介してスプロケット３４Ｂに伝動される。スプロケット３４Ｂに伝動された回転は、チェン１２Ｅを介して、軸６８の右側端部に取付けられたスプロケット６８Ｂに伝動される。軸６８は、オーガフレーム３１の左右の両側板に架設されている。スプロケット６８Ｂに伝動され回転は、軸６８を介して、この軸６８の右側端部に取付けられたプーリ６８Ａに伝動される。
プーリ６８Ａに伝動された回転は、伝動用のベルト１１Ｃを介して掻込み装置６０のアーム６３の先端部に回転自在に架設された軸６２に取付けられたプーリ６２Ａに伝動される。軸６２には掻込みリール６１が装着されており、これによって、エンジンＥの回転が掻込みリール６１に伝動され、圃場に倒伏した穀桿、丈の低い穀桿等をオーガ装置３０に掻込むことができる。
【００６０】
スプロケット２８Ａに伝動された回転は、軸２８を介して変換機構２８Ｂに伝動される。変換機構２８Ｂは、入力側に接続されている軸２８の回転を、出力側のピン２８Ｐに接続されているアーム２９Ａの往復揺動に変換する機器である。
アーム２９Ａに伝動された往復揺動は、アーム２９Ａに連結された軸２９を介して刈刃装置５０の揺動腕５４と縦刈刃装置８０の揺動腕８４に伝動される。これによって、エンジンＥの回転が刈刃装置５０の可動刃５１に伝動され、掻込みリール６１で掻込まれた穀桿の株元を切断することができる。また、エンジンＥの回転が縦刈刃装置８０の可動刃８１に伝動され、油菜、菜の花等の丈の高い穀桿を切断することができる。
【産業上の利用可能性】
【００６１】
本発明は、汎用コンバインの刈取前処理装置に利用できるものである。
【符号の説明】
【００６２】
３３      掻込みオーガ
６１      掻込みリール
６５      タイン支持杆
７０      タインプレート
７１      前側プレート
７１Ｃ    下延在部（第１延在部）
７２      後側プレート
７２Ｂ    上下延在部
７２Ｃ    開口部
７２Ｆ    下延在部（第２延在部）
７３      リールタイン
７３Ａ    端部
７３Ｂ    吊下げ部
７３Ｃ    コイル部
７３Ｄ    掻込み部
７３Ｌ    左リールタイン
７３Ｒ    右リールタイン
７８      連結手段
【図１】
2016063793.tif 000003
【図２】
2016063793.tif 000004
【図３】
2016063793.tif 000005
【図４】
2016063793.tif 000006
【図５】
2016063793.tif 000007
【図６】
2016063793.tif 000008
【図７】
2016063793.tif 000009
【図８】
2016063793.tif 000010
【図９】
2016063793.tif 000011
【図１０】
2016063793.tif 000012
【図１１】
2016063793.tif 000013
【図１２】
2016063793.tif 000014
【図１３】
2016063793.tif 000015